(57)【特許請求の範囲】
【請求項１】
第１画像を投射する投射部と、
自装置の少なくとも一部の動きを検出する検出部と、
前記検出部により反復運動が検出され、かつ前記反復運動の振幅が所定の閾値以上の場合は、前記投射部により投射される前記第１画像を認識できないように前記第１画像とは異なる第２画像に変化させる画像処理部と
を備えることを特徴とするプロジェクタ。
【請求項２】
請求項１に記載のプロジェクタにおいて、
前記画像処理部は、前記第１画像をぼかす又は不明瞭にする画像処理を施して前記第２画像に変化させることを特徴とするプロジェクタ。
【請求項３】
請求項２に記載のプロジェクタにおいて、
前記画像処理部は、前記第１画像の解像度、コントラスト又は色成分を下げる画像処理を施して前記第２画像に変化させることを特徴とするプロジェクタ。
【請求項４】
請求項２又は請求項３に記載のプロジェクタにおいて、
前記画像処理部は、前記第１画像の一部を塗りつぶす又はモザイクをかける画像処理を施して前記第２画像に変化させることを特徴とするプロジェクタ。
【請求項５】
請求項１から請求項４のいずれか一項に記載のプロジェクタにおいて、
前記画像処理部は、前記検出部により反復運動が検出され、かつ前記反復運動の振幅が所定の閾値以下の場合は、前記第１画像が投射される位置が一定になるように補正を施すことを特徴とするプロジェクタ。
【請求項６】
請求項１から請求項５のいずれか一項に記載のプロジェクタにおいて、
前記画像処理部は、前記検出部により一方向への動きが検出された場合は、前記第１画像に補正または変化を施さないことを特徴とするプロジェクタ。
【請求項７】
請求項１から請求項６のいずれか一項に記載のプロジェクタにおいて、
前記投射部により前記第２画像が投射されている場合、前記第１画像を表示する表示部を備えることを特徴とするプロジェクタ。
【発明の詳細な説明】
【技術分野】
【０００１】
本発明は、プロジェクタに関するものである。
【背景技術】
【０００２】
プライベートな画像が投射されないようにするプロジェクタが知られている（例えば、特許文献１参照）。このプロジェクタにおいては、プレゼンテーション用の画像とプライベートな画像を画像の明るさ、コントラストにより判断し、プライベートな画像の場合には画像を白黒化してサムネイル表示し、その後に選択された場合にのみ投射する処理が行われる。
【特許文献１】特開２００６−３３９５号公報
【発明の開示】
【発明が解決しようとする課題】
【０００３】
しかしながら、このプロジェクタにおいてはプライベートな画像であっても白黒化したサムネイル表示によりスクリーンに投射されるため、スクリーンを見ている聴衆にプライベートな画像が認識される虞がある。また、誤ってプライベートな画像が投射された場合等にスクリーンに投射されている画像を認識不可能にすることができない。
【０００４】
本発明の目的は、聴衆に見せることを意図しない画像が聴衆に認識されないようにするプロジェクタを提供することである。
【課題を解決するための手段】
【０００５】
本発明のプロジェクタは、第１画像を投射する投射部と、自装置の少なくとも一部の動きを検出する検出部と、前記検出部により反復運動が検出され、かつ前記反復運動の振幅が所定の閾値以上の場合は、前記投射部により投射される前記第１画像を認識できないように前記第１画像とは異なる第２画像に変化させる画像処理部とを備えることを特徴とする。
【発明の効果】
【０００６】
本発明のプロジェクタによれば、聴衆に見せることを意図しない画像が聴衆に認識されないようにすることができる。
【発明を実施するための最良の形態】
【０００７】
以下、図面を参照して本発明の第１の実施の形態に係るプロジェクタについて説明する。図１は、第１の実施の形態に係るプロジェクタの外観を示す図である。プロジェクタ２は手に持って画像の投射を行うことができるハンディタイプのプロジェクタであり、プロジェクタ２の前面には電源のオン、オフを行う電源スイッチ４、見せることを意図しない画像が聴衆に認識されないよう画像処理を施す画像秘匿モードを選択するモード選択ボタン６、画像の投射を行う再生ボタン８、画像の投射の停止を行う停止ボタン１０が備えられており、プロジェクタ２の側面には画像を投射する投射窓１２が備えられている。
【０００８】
図２は第１の実施の形態に係るプロジェクタのシステム構成を示すブロック図である。プロジェクタ２はＣＰＵ１４を備え、ＣＰＵ１４には電源スイッチ４、モード選択ボタン６、再生ボタン８、停止ボタン１０を備える操作部１６、画像を投射する投射光学系を備える投射部１８、プロジェクタ２の動きを検出する角速度センサを備える検出部２０、投射する画像に変化又は補正を施す画像処理部２２、投射する画像の画像データを記憶する投射画像記憶部２４が接続されている。
【０００９】
ここで、投射部１８は、光源であるＬＥＤ２６の点灯及び消灯を行う電源制御部２８、投射する画像を表示するＬＣＯＳ（反射型液晶素子）３０、ＬＣＯＳ３０の表示制御を行う表示制御部３２を備えている。
【００１０】
次に、図３に示すフローチャートを参照して、プロジェクタ２の処理について説明する。電源スイッチ４が操作されプロジェクタ２の電源が投入された場合には、モード選択ボタン６の操作により画像秘匿モードが選択されたか否かの判定を行う（ステップＳ１）。なお、画像秘匿モードが選択されていない場合には、画像秘匿処理を行わずに画像を投射する。画像秘匿モードが選択された場合には、再生ボタン８が押下されると投射画像記憶部２４から読み出した画像を投射部１８のＬＣＯＳ３０に表示し投射部１８により画像の投射を行う（ステップＳ２）。ここで、検出部２０がプロジェクタ２の動きを検出すると（ステップＳ３）、検出した動きが反復運動であるか一方向への運動であるかの判定を行う（ステップＳ４）。ここで、一方向への運動であると判定した場合には画像の投射位置の変更であると判断し、画像に変化または補正を施さずに投射部１８による画像の投射を継続する（ステップＳ７）。一方、反復運動であると判定した場合には反復運動の振幅が所定の閾値以上であるか閾値以下であるかを判定する（ステップＳ５）。ここで、反復運動の振幅の所定の閾値として投射される画像のスクリーン上における縦方向又は横方向の長さの２／３〜１倍の長さを用いる。閾値以下である場合には手ブレによる反復運動であると判断し、画像処理部２２により手ブレ補正を実施し（ステップＳ８）、投射部１８により画像の投射を行う（ステップＳ７）。一方、閾値以上である場合には、画像処理部２２により画像を認識不可能な状態に変化させる画像秘匿処理を実施し（ステップＳ６）、投射部１８により画像の投射を行う（ステップＳ７）。
【００１１】
ここで、図４は、投射画像記憶部２４に記憶されている画像の例を示す図である。投射画像記憶部２４には静止画である画像４２、画像４４、画像４６が記憶され、画像４４はユーザが聴衆に見せることを意図しない画像である。また、プロジェクタ２において画像４２、画像４４、画像４６を１０秒毎切り換えて順に投射するものとする。この場合に、図５に示すように先ず画像４２を投射し、画像４２を１０秒間投射した後に投射する画像を画像４４に切り換える。ここで、画像４４は聴衆に見せることを意図しない画像であるのでユーザがプロジェクタ２を振ることにより、ステップＳ３において検出部２０により動きの検出が行われ、ステップＳ４において反復運動であることの判定が行われ、ステップＳ５において反復運動の振幅が閾値以上であることの判定が行われ、ステップＳ６において画像処理部２２により画像４４を認識不可能な状態に変化させる画像秘匿処理が実施され、ステップＳ７において図６に示すように画像秘匿処理が施された画像が投射される。そして画像４４の投射を開始してから１０秒経過すると投射する画像を画像４６に切り換える。そして、ユーザがプロジェクタ２を振る動作を止めると、図７に示すように画像秘匿処理を施さない画像４６が投射される。
【００１２】
ここで、本実施の形態における反復運動の振幅の所定の閾値として、投射される画像のスクリーン上における縦方向又は横方向の長さの２／３〜１倍の長さを用いているが、この振幅の閾値に限るものではない。
【００１３】
本実施の形態によれば手に持って画像の投射を行うことができるハンディタイプのプロジェクタにおいて聴衆に見せることを意図しない画像を直感的な操作により聴衆に認識されないようにすることができる。
【００１４】
なお、本実施の形態において、プロジェクタ２に表示部４８が設けられる構成としてもよい。この場合には、検出部２０が反復運動を検出し、反復運動の振幅が閾値以上である場合に画像秘匿処理を実施するときに図８に示すように画像秘匿処理を施した画像を投射し、表示部４８には画像秘匿処理が施さない画像４４を表示する。
【００１５】
また、本実施の形態においては、画像秘匿処理として、画像をぼかす、画像を不明瞭にする、画像を切り換える、画像の投射を中止する、の何れかの処理を行う。ここで、画像をぼかす、画像を不明瞭にする処理を行う場合には、画像の解像度を下げる、画像のコントラストを下げる、画像の色成分をなくす、または減少させる、投射される画像の焦点を変化させる、画像の一部を塗りつぶす、画像の一部にモザイクを施す、画像を縮小表示する、画像を拡大表示し画像の一部しか認識できないようにする、ＬＥＤ２６から射出される光の光量を減少させることにより輝度を低下させる等の処理を行う。また、画像を切り換える処理を行う場合には、スクリーンセーバ等の別の規定画像に切り換える、一つ前の画像に戻す等の処理を行う。また、投射の中止をする場合には、ＬＥＤ２６からの光の射出を停止する、画像の出力を停止しＬＣＯＳ３０に画像を表示しない等の処理を行う。
【００１６】
また、検出部２０がプロジェクタ２の閾値以上の反復運動または一方向への運動を検出した場合に、投射窓１２から射出される光が誤って人に向けられる危険を回避するためにＬＥＤ２６から射出される光量を大幅に減少させてもよい。
【００１７】
また、本実施の形態において静止画の投射が１０秒毎に切り換えられるものとして説明したが、切り換える時間は任意であり、投射する画像を切り換える切換ボタンがプロジェクタ２に設けられている場合には切換ボタンの操作により投射される静止画を切り換えるようにしてもよい。また、本実施の形態では投射する画像が静止画である場合を例に説明したが、動画を投射してもよい。
【００１８】
また、図９に示すようにプロジェクタ２が振られた方向にのみ投射される画像の画像秘匿処理を施すようにしてもよい。
【００１９】
次に、図１０〜図１３を参照して本発明の第２の実施の形態に係るプロジェクタについて説明する。第１の実施の形態に係るプロジェクタは手に持って画像の投射を行うことができるハンディタイプのプロジェクタ２であり、第２の実施の形態に係るプロジェクタは図１０に示すリモコン５２を備える据え置き型のプロジェクタ５４である。なお、この第２の実施の形態に係るリモコン５２及びプロジェクタ５４の構成は、上述のプロジェクタ２に係るシステム構成を分割したものである。従って上述のプロジェクタ２と同一の構成についての詳細な説明は省略し、異なる部分のみについて詳細に説明する。また、上述のプロジェクタ２の構成と同一の構成には同一の符号を付して説明する。
【００２０】
図１０に示すように、プロジェクタ５４はリモコン５２を備え、リモコン５２の前面には電源スイッチ４、再生ボタン８、停止ボタン１０が設けられ、リモコン５２の側面にはプロジェクタ５４へ再生指示、検出されたリモコン５２の動きに基づいて画像処理を行う指示等の指示情報を赤外光を用いてプロジェクタ５４に対して送信する送信部５６が設けられている。また、プロジェクタ５４は投影窓１２、リモコン５２から送信された指示情報を受信する受信部５８が設けられている。
【００２１】
図１１はリモコン５２のシステム構成を示すブロック図である。リモコン５２はＣＰＵ５８を備え、ＣＰＵ５２には電源スイッチ４、再生ボタン８、停止ボタン１０を備える操作部１６、検出部２０、送信部５６が接続されている。
【００２２】
図１２はプロジェクタ５４のシステム構成を示すブロック図である。プロジェクタ５４はＣＰＵ６０を備え、ＣＰＵ６０には投射部１８、画像処理部２２、投射画像記憶部２４、受信部５８が接続されている。
【００２３】
次に図１３に示すフローチャートを参照してリモコン５２の処理について説明する。電源スイッチ４が操作されると電源投入指示の情報をプロジェクタ５４に送信し、再生ボタン８が押されると画像投射を開始する指示情報をプロジェクタ５４に送信する（ステップＳ２１）。プロジェクタ５４はリモコン５２から受信した指示情報に基づいて投射画像記憶部２４から画像を読み出し投射を開始する。ここで、画像の投射中に検出部２０がリモコン５２の動きを検出すると（ステップＳ２２）、検出した動きが反復運動であるか一方向への運動であるかを判定する（ステップＳ２３）。反復運動であると判定した場合には反復運動の振幅が所定の閾値以上であるか閾値以下であるかを判定する（ステップＳ２４）。閾値以上である場合には、プロジェクタ５４に対して画像処理部２２により画像を認識不可能な状態に変化させる画像秘匿処理を施すための指示情報を送信する（ステップＳ２５）。プロジェクタ５４は指示情報に基づいて投射する画像に画像秘匿処理を施し、投射部１８により画像の投射を行う。画像秘匿処理は上述の第１の実施の形態において用いる方法と同様の方法で行う。
【００２４】
即ち、聴衆に見せることを意図しない画像の投射が開始された時にリモコン５２が振られた場合に、検出部２０により反復運動であると判定され、その振幅が所定の閾値以上であると判定されると、リモコン５２はプロジェクタ５４へ画像秘匿処理の指示情報を送信する。プロジェクタ５４において指示情報に基づいて画像処理部２２により画像を認識不可能な状態に変化させるため、意図しない画像の投射を防止することができる。
【００２５】
ステップＳ２３において検出部がリモコン５２の動きが一方向への動きであると判定した場合及びステップＳ２４において反復運動の振幅が所定の閾値以下であると判定した場合には、プロジェクタ５４への指示情報の送信は行わないため、プロジェクタ５４は画像に変化または補正を加えずに投射を継続する。
【００２６】
本実施の形態によればリモコンを備える据え置き型のプロジェクタにおいて聴衆に見せることを意図しない画像を直感的な操作により聴衆に認識されないようにすることができる。
【００２７】
なお、本実施の形態において、リモコン５２にモード選択ボタン６を備えない構成としたが、リモコン５２にモード選択ボタン６を備える構成としてもよい。この場合にはモード選択ボタン６が操作され画像秘匿処理を行う画像秘匿モードが選択された場合にのみリモコン５２はステップＳ２１〜Ｓ２５の処理を行う。
【００２８】
なお、上述の各実施の形態においてプロジェクタ２またはリモコン５２の反復運動を検出し、反復運動の振幅が閾値以上である場合に画像秘匿処理を施す構成としたが、反復運動においてプロジェクタ２またはリモコン５２が振られる強度、回数、時間を閾値に用いてもよい。また、振幅、強度、回数、時間の値が大きいほど投射される画像のぼかし量を大きくし、またはモザイクの濃さを濃くする処理を施す等、プロジェクタ２またはリモコン５２の反復運動の振幅、強度、回数、時間の値に応じて投射される画像が認識不可能となる度合いを高める構成としてもよい。また、振幅、強度、回数、時間の値が大きいほど投射される画像に一部においてぼかしまたはモザイクを施す領域を大きくする構成としてよい。
【００２９】
また、上述の各実施の形態においては検出部２０により反復運動が検出され、反復運動の振幅が閾値以上である場合に、プロジェクタ２またはリモコン５２が反復運動している間は画像秘匿処理を行う構成としたが、検出部２０により振幅が閾値以上である反復運動が一旦により検出されると画像秘匿処理を開始し、プロジェクタ２またはリモコン５２の反復運動が継続されなくても画像秘匿処理を継続し、次の画像に切り換えられるまでの間画像秘匿処理を継続する構成としてもよい。
【図面の簡単な説明】
【００３０】
【図１】本発明の第１の実施の形態に係るプロジェクタの外観を示す図である。
【図２】本発明の第１の実施の形態に係るプロジェクタのシステム構成を示すブロック図である。
【図３】本発明の第１の実施の形態に係るプロジェクタの処理を示すフローチャートである。
【図４】本発明の第１の実施の形態に係る投射画像記憶部に記憶されている画像を示す図である。
【図５】本発明の第１の実施の形態に係るプロジェクタから投射される画像を示す図である。
【図６】本発明の第１の実施の形態に係るプロジェクタから投射される画像を示す図である。
【図７】本発明の第１の実施の形態に係るプロジェクタから投射される画像を示す図である。
【図８】本発明の第１の実施の形態に係るプロジェクタから投射される画像を示す図である。
【図９】本発明の第１の実施の形態に係るプロジェクタから投射される画像を示す図である。
【図１０】本発明の第２の実施の形態に係るプロジェクタ及びリモコンを示す図である。
【図１１】本発明の第２の実施の形態に係るリモコンのシステム構成を示すブロック図である。
【図１２】本発明の第２の実施の形態に係るプロジェクタのシステム構成を示すブロック図である。
【図１３】本発明の第２の実施の形態に係るリモコンの処理を示すフローチャートである。
【符号の説明】
【００３１】
２…プロジェクタ、１２…投影窓、２０…検出部、２２…画像処理部、２６…ＬＥＤ、３０…ＬＣＯＳ、５２…リモコン。
【図１】
0005256864.tif 000002
【図２】
0005256864.tif 000003
【図３】
0005256864.tif 000004
【図４】
0005256864.tif 000005
【図５】
0005256864.tif 000006
【図６】
0005256864.tif 000007
【図７】
0005256864.tif 000008
【図８】
0005256864.tif 000009
【図９】
0005256864.tif 000010
【図１０】
0005256864.tif 000011
【図１１】
0005256864.tif 000012
【図１２】
0005256864.tif 000013
【図１３】
0005256864.tif 000014